(57)【要約】  回転面状の第１反射面（４１）と光源（２０）からの直射光及び第１反射面（４１）からの反射光を出射する下向きの光出射口（４０ｂ）とを有するリフレクター（４０）と、略円錐台状の第２反射面（５２）と光出射口（４０ｂ）に対向する上開口部（５０ａ）と上開口部（５０ａ）よりも大径の下開口部（５０ｂ）とを有するコーン（５０）と、を備え、コーン（５０）は、第１反射面（４１）からの、制御された反射光の光路の外側に配置された照明器具（１）であって、制御された反射光の光量の低下を防止しつつ、制御不能な反射光に対しては、少なくとも一部をカットすることができる照明器具。
2017122824.tif 000002
【特許請求の範囲】
【請求項１】
光源と、  回転面状の第１反射面と、前記光源からの直射光及び前記第１反射面からの反射光を出射する下向きの光出射口と、を有するリフレクターと、  略円錐台状の第２反射面と、前記光出射口に対向する上開口部と、前記上開口部よりも大径の下開口部とを有するコーンと、を備え、  前記コーンは、前記第１反射面からの、制御された反射光の光路の外側に配置されている、  ことを特徴とする照明器具。
【請求項２】
前記第２反射面は、前記光源の光軸を含む平面で切った断面において、直線状又は前記光軸に向かって凹状の曲線状に形成されている、  ことを特徴とする請求項１に記載の照明器具。
【請求項３】
前記断面において、前記光軸の一方側にそれぞれ位置する前記上開口部の内周縁と前記下開口部の内周縁とを結ぶ線を第１基準線、また前記光軸の他方側にそれぞれ位置する前記上開口部の内周縁と前記下開口部の内周縁とを結ぶ線を第２基準線とすると、  前記光源は、面状の発光面を有するとともに、前記発光面が交差後の前記第１基準線と前記第２基準線とに挟まれた領域に配置されている、  ことを特徴とする請求項１又は２に記載の照明器具。
【請求項４】
前記第１反射面は、前記光軸上に長軸を有する楕円の一部を回転させることで回転楕円面状に形成されるとともに、上側の第１焦点が前記発光面の中心に配置され、下側の第２焦点が前記コーンの前記上開口部よりも下方に配置されている、  ことを特徴とする請求項３に記載の照明器具。
【請求項５】
前記リフレクターの前記光出射口の内周縁の直径と、前記コーンの前記上開口部の内周縁の直径とが略同じに設定されている、  ことを特徴とする請求項１ないし４のいずれか１項に記載の照明器具。
【請求項６】
前記コーンは、前記第２反射面を有するコーン本体と、前記コーン本体の上端の内周縁を覆うリング状の遮光部材とを備え、  前記光出射口の内周縁の直径は、前記コーン本体の上端の内周縁の直径より小さく、前記上開口部の内周縁を構成する前記遮光部材の内周縁の直径よりも大きく設定されている、  ことを特徴とする請求項５に記載の照明器具。   
【発明の詳細な説明】
【技術分野】
【０００１】  本発明は、リフレクター及びコーンを備えた照明器具に関する。
【背景技術】
【０００２】  照明器具において、リフレクター及びコーンを備えたダウンライトが知られている（例えば、特許文献１参照）。【０００３】  この特許文献に係る発明の目的は、「透光開口部の小径化を実現できると共に、照明装置としての存在を目立たせないようにすることができて良好な意匠性を付与できるダウンライトを提供する。」と記載されている。【０００４】  そして、この目的を解決する手段として、「この発明のダウンライトは、楕円体形状の楕円反射板（リフレクター）と、該楕円反射板の内部空間に配置された光源ランプと、前記楕円反射板の下方に配置され、上端から下端に向けて全体として縮径する形状を有する略筒状体と、該略筒状体の下端の透光開口部の下方に配置され、下方に向けて裾拡がり状の略筒状形状を有するコーン部（コーン）とを備えることを特徴とする。」と記載されている。
【先行技術文献】
【特許文献】
【０００５】
【特許文献１】特開２００８−１６４１７号公報
【発明の概要】
【発明が解決しようとする課題】
【０００６】  しかしながら、上述の特許文献１に係る発明においては、光源ランプから出て楕円反射板で反射された光は、制御された（制御可能な）光として照明用に有効に利用されるものの、光源から出て略筒状体に当たった光は、照明に供されることがなく、その分、効率が低下するという問題があった。【０００７】  本発明は、上述した事情に鑑みてなされたものであり、制御された反射光が効率良く照明器具から出射する構造であるとともに、制御された反射光がコーンに当たらない構造であり、コーンのグレア感を抑制した照明器具を提供することを目的とする。
【課題を解決するための手段】
【０００８】  請求項１に係る発明は、照明器具において、光源と、回転面状の第１反射面と前記光源からの直射光及び前記第１反射面からの反射光を出射する下向きの光出射口とを有するリフレクターと、略円錐台状の第２反射面と前記光出射口に対向する上開口部と前記上開口部よりも大径の下開口部とを有するコーンと、を備え、前記コーンは、前記第１反射面からの、制御された反射光の光路の外側に配置されている、ことを特徴とする。【０００９】  請求項２に係る発明は、請求項１に係る照明器具において、前記第２反射面は、前記光源の光軸を含む平面で切った断面において、直線状又は前記光軸に向かって凹状の曲線状に形成されている、ことを特徴とする。【００１０】  請求項３に係る発明は、請求項１又は２に係る照明器具において、前記断面において、前記光軸の一方側にそれぞれ位置する前記上開口部の内周縁と前記下開口部の内周縁とを結ぶ線を第１基準線、また前記光軸の他方側にそれぞれ位置する前記上開口部の内周縁と前記下開口部の内周縁とを結ぶ線を第２基準線とすると、前記光源は、面状の発光面を有するとともに、前記発光面が交差後の前記第１基準線と前記第２基準線とに挟まれた領域に配置されている、ことを特徴とする。【００１１】  請求項４に係る発明は、請求項３に係る照明器具において、前記第１反射面は、前記光軸上に長軸を有する楕円の一部を回転させることで回転楕円面状に形成されるとともに、上側の第１焦点が前記発光面の中心に配置され、下側の第２焦点が前記コーンの前記上開口部よりも下方に配置されている、ことを特徴とする。【００１２】  請求項５に係る発明は、請求項１ないし４のいずれか１項に係る照明器具において、前記リフレクターの前記光出射口の内周縁の直径と、前記コーンの前記上開口部の内周縁の直径とが略同じに設定されている、ことを特徴とする。【００１３】  請求項６に係る発明は、請求項５に係る照明器具において、前記コーンは、前記第２反射面を有するコーン本体と、前記コーン本体の上端の内周縁を覆うリング状の遮光部材とを備え、前記光出射口の内周縁の直径は、前記コーン本体の上端の内周縁の直径より小さく、前記上開口部の内周縁を構成する前記遮光部材の内周縁の直径よりも大きく設定されている、ことを特徴とする。
【発明の効果】
【００１４】  請求項１の発明によれば、コーンは、従来技術の略筒状体に相当する部分が不要であり、その分、第１反射面の面積を大きく確保することができるので、第１反射面で反射された制御可能な反射光の光量の低下を防止することができる。【００１５】  また、コーンは、第１反射面からの制御された反射光の光路の外側に配置されているので、第１反射面からの制御された反射光がコーンに当たらず、コーンのグレア感を抑制できる。  さらに、コーンは、雑反射をカットして、照明器具全体のグレアカットオフアングルを大きく確保することができる。【００１６】  なお、制御された反射光とは、設計に従った（意図した）反射光であり、制御不能な反射光とは、リフレクターの第１反射面の欠損や下端エッジで反射される反射光や第１反射面で複数回反射される反射光、いわゆる意図しない反射光（雑反射光）をいうものとする。【００１７】  請求項２の発明によれば、第２反射面は、光源の光軸を含む平面で切った断面において、直線状又は光軸に向かって凹状の曲線状に形成されているので、光軸に向かって凸状の曲線状に形成されている場合と比較して、雑反射光（意図しない反射光）のうちの第２反射面に当たった光を下方（例えば、床面方向）に落としやすく、よりグレアを生じさせにくい。【００１８】  請求項３の発明によれば、光源は、面状の発光面が交差後の第１基準線と第２基準線とに挟まれた領域（角度範囲）に配置されているので、発光面からの直射光が第２反射面に当たることはない。つまり、コーンは、直射光の光量を不要に減少させることがない。【００１９】  請求項４の発明によれば、第２焦点がコーンの上開口部よりも下方に配置されているので、例えば、第２焦点が上開口部に配置されている場合と比較して、発光面から出て第１反射面で反射されてコーンの下開口部から出射される光の、水平面に対する角度を大きくとって、コーンに当たりにくくすることができる。【００２０】  請求項５の発明によれば、リフレクターの光出射口の内周縁の直径と、コーンの上開口部の内周縁の直径とが略同じに設定されているので、コーンが光源からの直射光を不要に減少させることがない。【００２１】  請求項６の発明によれば、リフレクターの光出射口の内周縁の直径が、コーン本体の上端の内周縁の直径より小さく、上開口部の内周縁を構成する遮光部材の内周縁の直径よりも大きく設定されているので、コーンは、直射光の光量を不要に減少させることなく、かつ、直射光の外周近傍の光を遮光して制御することができる。
【図面の簡単な説明】
【００２２】
【図１】図１〜図６は実施形態１の照明器具１を説明する図であり、図１は天井面Ｃに取り付けた状態の照明器具１の正面図である。
【図２】照明器具１を斜め上方から見た斜視図である。
【図３】照明器具１を斜め下方から見た斜視図である。
【図４】図１中のＸ−Ｘ線矢視図である。
【図５】図１中のＸ−Ｘ線矢視図であり、制御された反射光の光路を説明する図である。
【図６】図１中のＸ−Ｘ線矢視図であり、制御不能な反射光（雑反射光）の光路を説明する図である。
【図７】実施形態２の照明器具２を説明する図であり、実施形態１の図５に相当する図である。
【発明を実施するための形態】
【００２３】  以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。  ＜実施形態１＞  図１〜図６を参照して本発明を適用した実施形態１に係る照明器具１について説明する。
【００２４】  ここで、図１は、天井面Ｃに取り付けた状態の照明器具１の正面図である。また、図２は、照明器具１を斜め上方から見た斜視図である。また、図３は、照明器具１を斜め下方から見た斜視図である。また、図４は、図１中のＸ−Ｘ線矢視図である。また、図５は、図１中のＸ−Ｘ線矢視図であり、制御された反射光の光路を説明する図である。また、図６は、図１中のＸ−Ｘ線矢視図であり、制御不能な反射光（雑反射光）の光路を説明する図である。なお、以下の説明では、図４中に矢印で示す上下左右が、照明器具１の上下左右に対応するものとして説明する。  照明器具１は、図１〜図４に示すように、光軸Ｌを中心とした略円柱状に形成されている。なお、光軸Ｌは、照明器具１の中心軸Ｃ１と一致している。  照明器具１は、ソケット１０、光源２０、ボディ３０、リフレクター４０、及びコーン５０を備えている。
【００２５】  このうちソケット１０は、図４に示すように、円筒状の外壁１１、内壁１２、光源２０で発生した熱を吸い上げるヒートシンク１３、及び放射状に配設されてヒートシンク１３からの熱を放熱する多数の放熱フィン１４を有している。
【００２６】  光源２０としては、面状の発光面２０ｄを有する面状光源を使用することができる。面状光源には、例えば、多数のＬＥＤ素子を面状に配列したＣＯＢ（チップオンボード）タイプのものや、複数のＬＥＤランプを面状に配列したもの等が含まれる。光源２０は、ヒートシンク１３の下面に取り付けられている。発光面２０ｄは、略円形に形成されていて、その中心２０ａが光軸Ｌ上に配置されている。発光面２０ｄは、図４では、その外周縁が端部２０ｂ，２０ｃとして中心２０ａから等距離に図示されている。
【００２７】  なお、光源２０は、発光面２０ｄの形状が上述の略円形に限らず、他の形状、例えば、正方形であってもよい。さらに、光源２０は、点状光源とすることもできる。点状光源には、例えば、ハロゲンランプやＨＩＤ等が含まれる。
【００２８】  ボディ３０は、それぞれ円筒状の外壁３１、内壁３２、及びこれらの間に配設された多数の放熱フィン３３を有している。ボディ３０の上端に上述のソケット１０の下端が固定されている。  リフレクター４０は、回転楕円体状（略樽状）に形成されていて、ソケット１０及びボディ３０の内壁１２，３２の内側に収納されて位置決め固定されている。
【００２９】  本実施形態では、リフレクター４０は、上ブロック４０Ａと、下ブロック４０Ｂとに分割されていて、これらを接合面４０Ｓで組み合わせて固定することによってリフレクター４０全体が構成されている。なお、接合面４０Ｓの位置は、後述する基礎となる楕円の短軸（不図示）と一致している。本実施形態においては、リフレクター４０は、製造上の理由で、上述のように、上ブロック４０Ａと下ブロック４０Ｂとを接合面４０Ｓで組み合わせるように構成されているが、原理的にはリフレクター４０は、全体が一体に形成されていてもよい。
【００３０】  リフレクター４０は、上端（基端側）に、光源２０からの光が入射される光入射口（開口部）４０ａを有し、下端（先端側）に、光を出射する下向きの光出射口（開口部）４０ｂを有している。
【００３１】  図４、図５に示すように、リフレクター４０の内周面には、回転楕円面状（回転面状）の第１反射面４１が形成されている。第１反射面４１は、上ブロック４０Ａの内周面と下ブロック４０Ｂの内周面とに跨って一連のものとして形成されている。
【００３２】  第１反射面４１は、図４に示すように、光軸Ｌを含む平面で切った断面（以下単に、「断面」という）において、光軸Ｌ上に長軸（不図示）を有する基礎となる楕円の一部を、光軸Ｌの回りに回転させることによって得られる回転楕円面状に形成されている。この基礎となる楕円は、光軸Ｌ上に長軸を有し、上側の第１焦点ｆ１が光源２０の中心２０ａと一致し、また、下側の第２焦点ｆ２が光出射口４０ｂよりも下方で、さらに、後述するコーン５０の上開口部５０ａよりも下方に配置されている。
【００３３】  光源２０の中心２０ａから出て第１反射面４１で反射された、制御された反射光（設計に従った意図した反射光）は、光出射口４０ｂから出射され、後述するコーン５０の上開口部５０ａに入射し、第２焦点ｆ２を通って、コーン５０の下開口部５０ｂから出射される。光源２０の中心２０ａから出た光は、第１反射面４１のうちの、下側に位置する部位に当たった光ほど、反射後の、光軸Ｌに対する出射角度が大きくなる。つまり、図４中のリフレクター４０の下端（第１反射面４１の下端）の内周縁ｄを除いた内周縁ｄの直近（近傍）に当たった光の反射光の出射角度が最大となる。なお、以下の説明では、「内周縁ｄの直近」といった場合には、内周縁ｄは含まないものとする。光源２０から出て内周縁ｄに当たった光は、制御不能な反射光（雑反射光）となる。  つづいて、図４、図５を参照して、コーン５０について詳述する。
【００３４】  コーン５０は、略円錐台状の第２反射面５２と、リフレクター４０の光出射口４０ｂに対向する上開口部５０ａと、上開口部５０ａよりも大径の下開口部５０ｂとを備えている。
【００３５】  また、コーン５０は、図４に示すように、断面上の形状が略「ハ」字形に形成されたコーン本体５１と、このコーン本体５１の上端の内周縁ａを覆うリング状の遮光部材５３とを有している。
【００３６】  コーン本体５１は、略円錐台状の筒状に形成されていて、その内周面には、その全面にわたって第２反射面５２が形成されている。コーン本体５１の上端及び下端には内周縁ａ，ｂが形成されている。このうちコーン本体５１の下端の内周縁ｂは、コーン５０の下開口部５０ｂの内周縁となっている。コーン本体５１の内周縁の直径は、上端の内周縁ａで最小となり、下側ほど大きくなり、下端の内周縁ｂで最大となっている。
【００３７】  さらに、第２反射面５２は、断面上において、光軸Ｌに向かって緩やかな凹状の曲線状に形成されている。すなわち、コーン本体５１の内周縁ａ，ｂのうち、光軸Ｌを基準として一方側（図４、図５中の左側）に位置する内周縁ａ，ｂを結ぶ仮想の直線（不図示）を考えたときに、第２反射面５２は、内周縁ａ，ｂ以外の部分がこの直線の外側に位置している。
【００３８】  遮光部材５３は、図４，図５に示すように、断面形状が略平行四辺形状のリング状に形成されていて、コーン本体５１の上端の内周縁ａを覆っている。遮光部材５３の材質は、例えば、ゴムとすることができる。遮光部材５３の内周縁ｃは、コーン５０の上開口部５０ａを構成している。つまり、照明器具１においては、遮光部材５３の内周縁ｃと、コーン５０の上開口部５０ａの内周縁ｃとが同じである（一致している）。
【００３９】  本実施形態においては、リフレクター４０の光出射口４０ｂの内周縁ｄの直径Ｄｄと、コーン５０の上開口部５０ａの内周縁ｃの直径Ｄｃとが略同じに設定されている。
【００４０】  さらに詳しくは、コーン本体５１の上端の内周縁ａの直径をＤａ、遮光部材５３の内周縁ｃの直径をＤｃ、そして、リフレクター４０の光出射口４０ｂの内周縁ｄの直径をＤｄとしたときに、リフレクター４０及びコーン５０は、これらの直径Ｄａ，Ｄｃ，Ｄｄの間に、      Ｄａ≧Ｄｄ≧Ｄｃ（ただし、Ｄａ≠Ｄｃ）が成立するように構成されている。
【００４１】  これにより、遮光部材５３は、光源２０の発光面２０ｄから円錐台状に照射される直射光の外周縁近傍を遮光して制御するとともに、コーン本体５１の内周縁ａに光が当たって雑反射が発生することを防止している。この際、直射光の光量の低減を可及的少なくしている。
【００４２】  ここで、図４に示す、光軸Ｌの一方側（例えば、左側）にそれぞれ位置する下開口部５０ｂの内周縁ｂと上開口部５０ａの内周縁ｃとを結ぶ仮想の直線を第１基準線Ｍ１とする。また、他方側（右側）にそれぞれ位置する下開口部５０ｂの内周縁ｂと上開口部５０ａの内周縁ｃとを結ぶ仮想の直線を第２基準線Ｍ２とする。これら第１基準線Ｍ１及び第２基準線Ｍ２は、上方に延長すると、徐々に接近して光軸Ｌ上の点Ｐで角度αをもって交差し、その後、徐々に離間しつつ斜め上方に延びる。
【００４３】  なお、本実施形態では、点Ｐは、上下方向の位置については、リフレクター４０の接合面４０Ｓ近傍（第１焦点ｆ１と第２焦点ｆ２との略中間）に配置されている。このことは、例えば、コーン５０の設計時に、先に点Ｐと、コーン５０の上開口部５０ａの上下方向の位置及び内周縁ｃの直径Ｄｃとを決めることにより、第１基準線Ｍ１及び第２基準線Ｍ２を決定できることを意味する。こうして決定された第１基準線Ｍ１及び第２基準線Ｍ２上にコーン５０の下開口部５０ｂの内周縁ｂが載るようにすることで、コーン５０の基本的な設計を行うことができる。
【００４４】  本実施形態においては、光源２０の面状の発光面２０ｄは、点Ｐで相互に交差した後の第１基準線Ｍ１と第２基準線Ｍ２とによって挟まれた領域（点Ｐを基準とた角度αの範囲内に配設されている。  これにより、光源２０が面光源であった場合でも、光源２０からの直射光が第２反射面５２に当たることを防止して、グレアの発生を防止している。  図５を参照して、光源２０から出て第１反射面４１で反射される制御された反射光について説明する。
【００４５】  本実施形態では、上述のように、第１反射面４１が回転楕円面状に形成されていて、図５上では、第１焦点ｆ１が光源２０の中心２０ａに配置され、また、第２焦点ｆ２がコーン５０の上開口部５０ａよりも下側に配置されている。
【００４６】  光源２０の中心２０ａ（第１焦点ｆ１）から出て、第１反射面４１で反射された制御された反射光は、リフレクター４０の光出射口４０ｂから出射され、コーン５０の上開口部５０ａに入射され、さらに、第２焦点ｆ２を通って下開口部５０ｂから出射される。
【００４７】  例えば、反射光Ｌａ´は、光源２０の中心２０ａから出た光のうち、第１反射面４１の最も高い部位に当たって反射された反射光であり、反射光Ｌａは、同じく光源２０の中心２０ａから出て、第１反射面４１の最も低い部位（内周縁ｄの直近）に当たって反射された反射光である。また、反射光Ｌｂは、光源２０の一方側（左側）の端部２０ｂから出て、内周縁ｄの直近で反射された反射光である。また、反射光Ｌｃは、光源２０の他方側（右側）の端部２０ｃから出て、内周縁ｄの直近で反射された反射光である。
【００４８】  ここで、リフレクター４０の光出射口４０ｂの一方側の内周縁ｄとコーン５０の下開口部５０ｂの他方側の内周縁ｂとを結ぶ仮想の直線を第３基準線Ｍ３とし、この第３基準線Ｍ３と水平面Ｈ（天井面Ｃ）とがなす角度を、グレアカットオフアングルθとする。  図５に示す例では、水平面Ｈに対する反射光の角度（＝９０度−出射角度）は、反射光Ｌｃの角度θｃが最小となる。  そして、本実施形態では、      θｃ＞θ
【００４９】が成立するように、光源２０、リフレクター４０、及びコーン５０を構成することにより、光源２０から出て第１反射面４１で反射される制御された反射光が、第２反射面５２に当たらないようにしている。
【００５０】  つまり、コーン５０を、第１反射面４１からの、制御された反射光の光路の外側に配置するようにしている。これにより、コーン５０が、制御された反射光の光量を低減することがない。
【００５１】  以上では、コーン５０の断面形状が、緩やかな凹状の曲線状である場合について説明したが、これに代えて、直線状としてもよい。さらには、凸状の曲線状とすることも可能である。  次に、図６を参照して、コーン５０と雑反射光との関係について説明する。
【００５２】  図６に示すように、リフレクター４０の第１反射面４１で反射される反射光の中には、図５で説明した制御された反射光（設計通りの反射光）の外に、制御不能な（意図しない）雑反射光がある。なお、図６中の反射光Ｌ０は、制御された反射光である。
【００５３】  図６中の雑反射光Ｌ１は、例えば、リフレクター４０の第１反射面４１の表面欠陥による乱反射によって発生した反射光である。また、雑反射光Ｌ２は、上述の雑反射光Ｌ１に起因して複数回反射することによって発生した反射光である。さらに、雑反射光Ｌ３は、リフレクター４０の内周縁ｄ（エッジ部）における乱反射によって発生した反射光である。なお、雑反射光の他の例としては、リフレクター４０を構成する上ブロック４０Ａと下ブロック４０Ｂとの接合面４０Ｓ（図４参照）でも発生する反射光があげられる。
【００５４】  本実施形態のコーン５０は、上述したように、制御された反射光の光路の外側に配設することで、制御された反射光の光量が低減されることを防止して、効率の良い照明を可能としている。一方、制御された反射光の光路の外側で、かつこの光路の近傍に配設することで、グレアカットオフアングルθを大きくして、制御不要な雑反射光をできるだけ多くカットするようにしている。
【００５５】  本実施形態では、照明器具１全体から出射される光（直射光、制御された反射光、雑反射光を含む）の水平面Ｈに対する角度は、グレアカットオフアングルθ以上となる。この角度θは、例えば、３０度以上となるように設定されている。  以下、上述のコーン５０の作用、効果について整理する。なお、重複部分もある。
【００５６】  ・コーン５０は、従来技術の略筒状体に相当する部分が不要であり、その分、第１反射面４１の面積を大きく確保することができるので、制御可能な反射光の光量の低下を防止することができる。
【００５７】  また、コーン５０は、第１反射面４１からの、制御された反射光の光路の外側に配置されているので、第１反射面４１からの反射光がコーン５０に当たらず、コーン５０のグレア感を抑制できる。  さらに、コーン５０は、雑反射をカットして、照明器具１全体のグレアカットオフアングルθを大きく確保することができる。
【００５８】  ・第２反射面５２は、光源２０の光軸Ｌを含む平面で切った断面において、直線状又は光軸Ｌに向かって凹状の曲線状に形成されているので、凸状の曲線状に形成されている場合と比較して、第２反射面に当たった光を、例えば床面方向に落としやすく、よりグレアを生じさせにくい。
【００５９】  ・光源２０は、交差後の第１基準線Ｍ１と第２基準線Ｍ２とに挟まれた領域（角度αの範囲内）に配置されているので、発光面２０ｄからの直射光が第２反射面５２に当たることはない。つまり、直射光の光量を不要に減少させることがない。
【００６０】  ・リフレクター４０の光出射口４０ｂの内周縁ｄの直径Ｄｄと、コーン５０の上開口部５０ａの内周縁ｃの直径Ｄｃとが略同じに設定されているので、コーン５０が光源２０からの直射光を不要に減少させることがない。
【００６１】  ・第１反射面４１の第２焦点ｆ２がコーン５０の上開口部５０ａよりも下方に配置されているので、例えば、第２焦点ｆ２が上開口部５０ａに配置されている場合と比較して、発光面２０ｄから出て第１反射面４１で反射されてコーン５０の下開口部５０ｂから出射される光の、水平面Ｈに対する角度θを大きくとって、コーン５０に当たりにくくすることができる。
【００６２】  ・リフレクター４０の光出射口４０ｂの内周縁ｄの直径Ｄｄが、コーン本体５１の上端の内周縁ａの直径Ｄａより小さく、遮光部材５３の内周縁ｃの直径Ｄｃよりも大きく設定されているので、コーン５０は、直射光の光量を不要に減少させることなく、かつ、直射光の外周縁近傍の光を遮光して制御することができる。  ＜実施形態２＞  図７を参照して、実施形態２に係る照明器具２について説明する。
【００６３】  本実施形態の照明器具２は、リフレクター６０が、実施形態１の照明器具１のリフレクター４０とは異なる。照明器具２は、リフレクター６０以外の構成については、照明器具１と同じである。  リフレクター６０は、回転楕円体状に形成されていて、その内周面には、全面にわたって回転楕円面状の第１反射面６１が形成されている。
【００６４】  第１反射面６１は、基礎とする楕円Ｎの一部を、光軸Ｌの回りに回転させることで得られる。楕円Ｎは、長軸Ｎａ及び短軸Ｎｂを有し、長軸Ｎａが光軸Ｌに対して、他方側（右側）に角度βだけ傾斜している。さらに、楕円Ｎの第１焦点ｆ１が光源２０の発光面２０ｄの中心２０ａと一致している。
【００６５】  本実施形態では、楕円Ｎの一部として、楕円Ｎのうちの、長軸Ｎａに対して一方側（左側）に位置する部分を使用している。言い換えると、長軸Ｎａを基準として楕円Ｎを二等分したときの、相対的に下側に位置する方の一部を使用している。
【００６６】  この場合、発光面２０ｄの中心２０ａ及び端部２０ｃから出てリフレクター６０の光出射口６０ｂの内周縁ｄの直近で反射した制御された反射光Ｌａ，Ｌｃは、楕円Ｎの長軸Ｎａが傾斜していない場合（光軸Ｌ上にある場合）と比較して、水平面Ｈ（図６参照）に対する角度が小さくなって、反射光Ｌａ，Ｌｃが広がりがちになる。
【００６７】  本実施形態においては、上述のように、楕円Ｎの長軸Ｎａが傾斜して、水平面に対する反射光Ｌａ，Ｌｃの角度が小さくなった場合であっても、制御された反射光Ｌａ，Ｌｃがコーン５０の第２反射面５２に当たらないようになっている。  つまり、コーン５０が、制御された反射光Ｌａ，Ｌｃの光路の外側に位置するように、光源２０、リフレクター６０、及びコーン５０が構成されている。  なお、本実施形態の作用・効果については、実施形態１と略同様である。
【００６８】  以上説明した実施形態１では、第１反射面４１の基礎となる楕円は、長軸が光軸Ｌと一致していた。また、実施形態２では、第１反射面６１の基礎となる楕円Ｎは、長軸Ｎａが光軸Ｌに対して角度βだけ傾斜していた。
【００６９】  本発明は、これらに限定されるものではなく、例えば、第１反射面の基礎となる楕円を、その長軸が光軸Ｌと平行（光軸Ｌと一致する場合を除く。）となるようにしてもよい。  また、第１反射面４１，６１は、回転楕円面状に限らず、これに類似したもの、例えば、反射光が焦点の近傍に集まるような形状であってもよい。
【００７０】  また、回転楕円面状に代えて、例えば、回転放物面状であってもよい。この場合、放物線の中心線は、光軸Ｌと一致する場合、光軸Ｌと平行な場合、光軸Ｌに対して傾斜する場合のいずれであってもよい。
【００７１】  さらには、第１反射面４１，６１は、コーン５０が、この第１反射面４１，６１に当たって反射する制御された反射光の光路の外側に配置されていれば、原理的には、任意の形状のものとすることができる。
【符号の説明】
【００７２】  １      実施形態１の照明器具  ２      実施形態２の照明器具  １０    ソケット  ２０    光源  ２０ｄ    発光面  ３０    ボディ  ４０，６０    リフレクター  ４０ａ  光入射口  ４０ｂ  光出射口  ４１，６１    第１反射面  ５０    コーン  ５０ａ  上開口部  ５０ｂ  下開口部  ５１    コーン本体  ５２    第２反射面  ５３    遮光部材  ａ      コーン本体の上端の内周縁  ｂ      コーン本体の下端の内周縁（コーンの下開口部の内周縁）  ｃ      遮光部材の内周縁（コーンの上開口部の内周縁）  ｄ      リフレクターの下端の内周縁（リフレクターの光出射口の内周縁）  Ｄａ    コーン本体の上側の内周縁ａの直径  Ｄｂ    コーンの下開口部の内周縁ｂの直径  Ｄｃ    コーンの上開口部の内周縁ｃの直径  Ｄｄ    リフレクターの光出射口の内周縁ｄの直径  Ｌ      光軸  Ｍ１    第１基準線  Ｍ２    第２基準線  α      第１基準線と第２基準線との間の角度範囲（領域）  θ      グレアカットオフアングル  
【図１】
2017122824.tif 000003
【図２】
2017122824.tif 000004
【図３】
2017122824.tif 000005
【図４】
2017122824.tif 000006
【図５】
2017122824.tif 000007
【図６】
2017122824.tif 000008
【図７】
2017122824.tif 000009
【国際調査報告】
2017122824.tif 000010
2017122824.tif 000011
2017122824.tif 000012
2017122824.tif 000013